(57)【要約】      （修正有）【課題】強風でも日除け具が外れず、使用しないときには建物側に最小限の構造物しか残さないで且つ簡単な操作で巻上げられる日除けシート固定具と日除け具を提供する。【解決手段】シート側取付部１０１と、第一および第二の建物側取付部１０２、１０３と、シート側取付部と建物側取付部間の距離を制限する最大距離制限部１０４および最小距離制限部１０５を備え、さらに最大距離制限部はチェーン１０６とフック体１０７を、最小距離制限部は支柱と勘合部と２つのリンク機構１１０、１１１を備える。支柱と勘合部との挿入長が最大距離制限部の遊び長とシート体の面の伸び量とを支柱の方向に合成した長さより長くする。【選択図】図１
0003169649.tif 000002
【実用新案登録請求の範囲】
【請求項１】
シート体に取付けるシート側取付部と、
建物外壁もしくは窓枠に取付ける第一の建物側取付部および第二の建物側取付部と、
前記シート側取付部と前記第一の建物側取付部の間の距離が一定以上に離れないよう制限する最大距離制限部と、
前記シート側取付部と前記第二の建物側取付部の間の距離が一定以下に近づかないよう制限する最小距離制限部と、
から構成されたことを特徴とする日除けシート固定具。
【請求項２】
前記最大距離制限部はチェーンと、該チェーンと掛かり合うフック体とで構成され、
前記最小距離制限部は支柱と、該支柱と勘合する勘合部と、前記支柱と前記シート側取付部との間に配置され前記支柱の方向が自在になる支柱リンク機構と、前記勘合部と前記第二の建物側取付部との間に配置され前記勘合部の方向が自在になる勘合部リンク機構とから構成され、
前記支柱と前記勘合部とは、該支柱と該勘合部のどちらか一方が他方に挿入可能な形状を備え、
前記フック体は、前記チェーン上での位置が容易に変えられるよう前記チェーン上に取付けられるか、もしくは前記チェーンと前記フック体のどちらか一方が前記シート側取付部に他方が前記第一の建物側取付部に取付けられ、
前記支柱と前記勘合部の挿入長は、前記最大距離制限部の遊び長と前記シート体の面の伸び量とを前記支柱の方向に合成した長さより長くした、
ことを特徴とする請求項１に記載の日除けシート固定具。
【請求項３】
請求項１もしくは請求項２のいずれかに記載の左右対称に構成された一対の日除けシート固定具を、シート体の下辺部の両端に近い位置にそれぞれ備えたことを特徴とする日除け具。
【考案の詳細な説明】
【技術分野】
【０００１】
本考案は、夏の暑い日差しを遮る日除け具に用いる日除けシート固定具、およびそれを備えた日除け具に関する。
【背景技術】
【０００２】
近年、家庭における夏場のクーラーの使用を抑えて電気の使用量を減らせるよう窓枠に取付けられる日除け具が提案されている。特に特許文献１に代表される大きな構造物を設置するタイプは台風や強い季節風を除く日常に吹く可能性のある強い風が吹いても日除け具が外れないことを目的とし、特許文献２に代表されるタイプは冬季等の使用しないときには建物側に大きな構造物を残さないで且つ容易に巻上げられることを目的として提案されている。
【先行技術文献】
【特許文献】
【０００３】
【特許文献１】特開２００５−２８２２２６号公報
【特許文献２】特開２００８−１３９９４号公報  以下に、特許文献２の従来の日除け具について、図８と図９を用いて説明する。
【０００４】
図８と図９は従来の日除け具を窓枠に取付けた状態、および支柱固定部をそれぞれ示している。図８において３０１はサッシ窓枠、３０２はガラス戸、３０３は網戸、３０４は四辺形のシート材、３０５は支柱、３０６はライン、３０７はライン受け、３０８は支柱受けである。尚、ライン受け３０７は網戸３０３の下部に固定されており、ライン３０６を容易に固定したり外したりできるようバネの力でライン３０６を挟むクリップで構成されている。
【０００５】
また図９は支柱固定部の様子を示している。３０５は支柱、３０８は支柱受け、３０９は支柱の外れ防止板である。支柱の外れ防止板３０９は容易に取付けたり取外しができるようゴム等の柔軟な材料で作られ、支柱３０５を挟むように支柱受け３０８に取付けられている。
【考案の概要】
【考案が解決しようとする課題】
【０００６】
図８に示した従来の日除け具では、ライン３０６は網戸３０３の下部であるサッシ窓枠３０１の中央部に取付けられた１つのライン受け３０７で固定されているため、ライン３０６の張力もサッシ窓枠の中央下部に向かう方向にしか発生せず、支柱３０５の位置においてシート材３０４を下方向に引く力が弱いので、日常に吹く可能性のある強風が当たるとシート材３０４がはためいて不安定になり、よってライン３０６はクリップで構成されたライン受け３０７のクリップが挟んでいるだけなので、クリップのバネの力が負けてライン３０６が少しずつずれて行き、強い風が当たり続けるとついにはライン受け３０７からライン３０６が外れしまうという問題があった。
【０００７】
さらに支柱の外れ防止板３０９がゴム等の材料で作られているため、ライン３０６がライン受け３０７から外れてシート材３０４が激しくはためき始めると、ゴムの力が負けて外れ防止板３０９が支柱受け３０８から外れ、よって支柱３０５までも外れてしまうという問題があった。
【０００８】
つまり一定以上の強風が吹いた場合、ライン３０６と支柱３０５の両方が外れてシートが完全に浮き上がった状態となり、最悪の場合はシートが窓枠から外れてしまうという問題があった。
【０００９】
本考案は上記課題を解決するもので、日常に吹く可能性のある強風が吹いても日除け具が外れないことを第一の特長とし、使用しないときには簡単な操作で巻上げられることを第二の特長とし、巻上げたときに建物側に最小限の構造物しか残さないことを第三の特長とし、これら３つの特長を同時に有する日除けシート固定具およびそれを備えた日除け具を提供するものである。
【課題を解決するための手段】
【００１０】
本考案の日除けシート固定具およびそれを備えた日除け具は上記課題を解決するために、シート体に取付けるシート側取付部と、建物外壁もしくは窓枠に取付ける第一の建物側取付部および第二の建物側取付部と、前記シート側取付部と前記第一の建物側取付部の間の距離が一定以上に離れないよう制限する最大距離制限部と、前記シート側取付部と前記第二の建物側取付部の間の距離が一定以下に近づかないよう制限する最小距離制限部とから構成されたことを特徴とする。
【００１１】
また本考案の日除けシート固定具およびそれを備えた日除け具は、前記最大距離制限部はチェーンと、該チェーンと掛かり合うフック体とで構成され、さらに前記最小距離制限部は支柱と、該支柱と勘合する勘合部と、前記支柱と前記シート側取付部との間に配置され前記支柱の方向が自在になる支柱リンク機構と、前記勘合部と前記第二の建物側取付部との間に配置され前記勘合部の方向が自在になる勘合部リンク機構とから構成され、さらに前記支柱と前記勘合部とは、該支柱と該勘合部のどちらか一方が他方に挿入可能な形状を備え、さらに前記フック体は、前記チェーン上での位置が容易に変えられるよう前記チェーン上に取付けられるか、もしくは前記チェーンと前記フック体のどちらか一方が前記シート側取付部に他方が前記第一の建物側取付部に取付けられ、さらに前記支柱と前記勘合部の挿入長は、前記最大距離制限部の遊び長と前記シート体の面の伸び量とを前記支柱の方向に合成した長さより長くしたことを特徴とする。
【００１２】
さらに本考案の日除け具は、左右対称に構成された一対の前記日除けシート固定具を、前記シート体の下辺部の両端に近い位置にそれぞれ備えたことを特徴とする。
【考案の効果】
【００１３】
本考案により、日常に吹く可能性のある強風が吹いても日除け具が外れないことを第一の特長とし、使用しないときには簡単な操作で巻上げられることを第二の特長とし、巻上げたときに建物側に最小限の構造物しか残さないことを第三の特長とし、これら３つの特長を同時に有する日除けシート固定具およびそれを備えた日除け具が実現できる。
【図面の簡単な説明】
【００１４】
【図１】本考案の日除けシート固定具の構成図
【図２】本考案の日除けシート固定具をシート体下辺部へ取付ける方法を示す図
【図３】本考案の日除け具を窓枠に取付けた状態を示す図
【図４】本考案の日除け具を窓枠へ取付けたり取外す操作を示す図
【図５】本考案の日除けシート固定具の他の実施の形態の構成図
【図６】本考案の日除けシート固定具の建物側取付部を一体に構成した図
【図７】本考案の日除けシート固定具を簾に取付けた状態を示す図
【図８】従来の日除け具を窓枠に取付けた状態を示す図
【図９】従来の日除け具の支柱取付部を示す図
【考案を実施するための形態】
【００１５】
（実施の形態１）
図１は本考案の日除けシート固定具を示している。また図２は本考案の日除けシート固定具をシート体下辺に固定する方法を、図３は本考案の日除けシート固定具を備えた日除け具を窓枠に取付けた状態を、図４は本考案の日除け具を窓枠に取付けたり取外す操作をそれぞれ示している。
【００１６】
図１において１００ａおよび１００ｂは本考案の日除けシート固定具であり、１００ａと１００ｂは図２および図３に示すようにシート体１１２の下辺の左右の対称な位置と向きに取付けられるよう、図１に示すように左右対称に構成されている。また図１に示す本考案の日除けシート固定具は、シート側取付部１０１と第一の建物側取付部１０２と第二の建物側取付部１０３とを有し、さらにシート側取付部１０１と第一の建物側取付部１０２との間には最大距離制限部１０４を、シート側取付部１０１と第二の建物側取付部１０３との間には最小距離制限部１０５をそれぞれ有している。
【００１７】
また最大距離制限部１０４はチェーン１０６とフック体１０７とで構成され、チェーン１０６が一定以上に伸びない特性を利用して、フック体１０７が第一の建物側取付部１０２に掛かったとき、シート側取付部１０１と第一の建物側取付部１０２との間の距離が一定以上に離れないように制限する機能を有している。一方、最小距離制限部１０５は支柱１０８と勘合部１０９と支柱リンク機構１１０と勘合部リンク機構１１１で構成され、支柱１０８が縮まない特性を利用して、支柱１０８と勘合部１０９とが勘合したとき、シート側取付部１０１と第二の建物側取付部１０３との間の距離が一定以下に近づかないように制限する機能を有している。
【００１８】
また支柱１０８と勘合部１０９には、勘合部１０９を支柱１０８に挿入するために挿入部１０９ａと被挿入部１０８ａがそれぞれ設けられている。
【００１９】
また支柱リンク機構１１０はシート側取付部１０１と支柱１０８の両方に設けたリング形状を互いに繋げた構造となっておりシート側取付部１０１に対して支柱１０８の方向が自在になるよう構成されており、勘合部リンク機構１１１は第二の建物側取付部１０３のＵ字形状に勘合部１０９のリング形状を繋げた構造となっており、第二の建物側取付部１０３に対して勘合部１０９の方向が自在になるよう構成されている。
【００２０】
さらに図１に示すように、フック体１０７は通称ナスカンと呼ばれるバネ性のある金属で作られる開閉可能な環状とすることでフック体１０７そのものをチェーン１０６に容易に取付け取外しでき、よってチェーン１０６上での位置が容易に変えられるよう構成されている。またシート側取付部１０１にはシートを巻上げるときに支柱１０８を掛けることで支柱１０８がシート体の下辺に平行に保持されて巻上げ易くなるよう巻上げ時支柱保持部１０１ａが設けられている。
【００２１】
日除けシート固定具１００ａと１００ｂは、図２に示すようにシート体１１２の下辺の両側にシート体１１２の織り目の隙間を通せる細さの結束バンド１１３を使って取付けられる。そして日除けシート固定具１００ａ、１００ｂとシート体１１２により構成された日除け具２００は、図３に示すように窓枠１１４に取付けられて使用される。ここで図３に示すように、日除け具２００の上辺部は日除け具上部固定具１１５により日常に吹く可能性のある強風が吹いてもシート体１１２が外れない強度で窓枠に固定される。
【００２２】
図４は日除け具を窓枠へ取付けたり取外す操作を示している。図４に示すように、勘合部１０９が付いた第二の建物側取付部１０３と第一の建物側取付部１０２はネジ１１７により窓枠１１４上に取付けられている。そして勘合部の挿入部１０９ａは支柱の被挿入部１０８ａに挿入され、フック体１０７は第一の建物側取付部１０２のＵ字形状部に掛けられることで日除け具は窓枠に固定される。
【００２３】
尚、図３および図４は日除け具の各固定具を窓枠上に取付ける例を示しているが、窓枠周辺の建物外壁上に各固定具を取付けて使用することも可能である。
【００２４】
ここで図１、図３、図４を用いて強風が吹いた場合でも日除け具２００が窓枠から外れないことを説明する。前述したように図１に示した最大距離制限部１０４のフック体１０７はチェーン１０６上での位置を容易に変えられるので、フック体の位置を調整することにより図３に示すようにチェーン１０６をピンと張れる長さにすることを可能にしている。さらに図１に示した最小距離制限部１０５の支柱リンク機構１１０と勘合部リンク機構１１１は、シート側固定部１０１と第二の建物側取付部１０３とが最小距離が制限される以外は自由な相対配置を取ることを可能にしている。つまり本考案の実施の形態では、チェーン１０６上でのフック体１０７の位置を調整することにより、図３に示すようなシート体１１２とチェーン１０６とが共にピンと張った状態を容易に作り出すことができる。
【００２５】
より詳細に説明すると、シート体１１２とチェーン１０６をピンと張ることで図３に示したようにシート体下辺に取付けられたシート側取付部１０１はチェーン１０６の張力１１８とシート体１１２の面張力１１９とにより窓枠側に押されるが、シート体１１２の下辺部と第二の建物側取付部１０３との間は支柱１０８の長さで決まる最小距離に制限されるので、シート側取付部１０１は支柱が押返す力１２０により窓枠１１４から離れる方向へ押され、よってシート体１１２はピンと張った状態が保持される。つまり図１に示した最大距離制限部１０４と最小距離制限部１０５とを備えることにより、図３に示したチェーンの張力１１８とシート体面張力１１９と支柱が押返す力１２０の３つの力を利用することができ、よって日除け具２００を窓枠１１４から一定の距離を離してしっかりと固定された状態に保持することが可能となる。またこのときシート側取付部１０１が取付けられたシート体１１２の下辺は、チェーン１０６とフック体１０７の遊びに相当する最大距離制限部１０４の遊び長とシート体１１２の面の伸び量を支柱１０８の方向に合成した以上に窓枠１１４から離れることはない。
【００２６】
つまり支柱と勘合部の挿入長である支柱の被挿入部１０８ａと勘合部の挿入部１０９ａとの挿入長を、最大距離制限部１０４の遊び長とシート体１１２の面の伸び量とを支柱１０８の方向に合成した長さより長く取っておけば、日常に吹く可能性のある強風が吹いても結束バンド１１３かチェーン１０６が切れるか、もしくはシート体１１２が破れない限り、日除け具２００が窓枠１１４から外れることはない。
【００２７】
尚、最大距離制限部１０４の遊び長とシート体１１２の面の伸び量とを支柱１０８の方向に合成した長さは、チェーン１０６の遊び長と、フック体１０７の形状と、取付けられるシート体１１２の面の伸び量と、シート体１１２の形状と、第一の建物側取付部１０２と第二の建物側取付部１０３との窓枠１４上での取付位置とによって決められる。そして最大距離制限部１０４の遊び長とシート体１１２の面の伸び量とを支柱１０８の方向に合成した長さに対する支柱と勘合部の挿入長の比率は、支柱の被挿入部１０８ａと勘合部の挿入部１０９ａの間で径方向のクリアランスがある実用的な場合では１．５倍以上とすることが望ましいが、この値に限るものではない。
【００２８】
以上のように本考案の日除けシート固定具は、シート体に取付けて日除け具を実現する場合、図１に示したように一対の日除けシート固定具１００ａと１１０ｂとして構成しするとともに、一対の日除けシート固定具はそれぞれが独立して最大距離制限部１０４と最小距離制限部１０５を有するので、従来の日除け具に比べ、図３に示すように支柱１０８が取付けられた位置でシート体１１２を下方向に引く強いチェーン張力１１８が得られ、よってシート体面張力１１９と支柱が押返す力１２０と合わせた３つの力を利用でき、強風でも外れない日除け具が実現可能となっている。言い換えると、強風でも外れない本実施の形態の日除け具が実現できるのは本考案の日除けシート固定具が、図１に示すように、シート側取付部１０１と、第一の建物側取付部１０２および第二の建物側取付部１０３と、最大距離制限部１０４と、最小距離制限部１０５とを同時に有しているからに他ならない。
【００２９】
一方、日除け具は図４に示すようにフック体１０７を第一の建物側取付部１０２から外し勘合部の挿入部１０９ａを支柱の被挿入部１０８ａから抜くことで図３に示すシート体１１２の下辺部の固定が解放されるので、容易に支柱１０８をシート体１１２の下辺に平行にして巻上げることが可能となる。またこのとき、図１と図４から分かるように建物側には第一の建物側取付部１０２と勘合部１０９が付いた第二の建物側取付部１０３だけの最小限の構造物しか残らないようになっている。つまり冬季等の使用しないときは、建物側には大型の構造物を残さず、且つ簡単な操作で巻上げることが可能となっている。尚、巻上げられた日除け具２００は日除け具上部固定具１１５に近い位置で紐等で縛ることにより窓枠上部に保持しておくことができるので、窓枠上部を保管場所として保管しておくことも可能である。
【００３０】
以上のように本実施の形態によれば、日常に吹く可能性のある強風が吹いても日除け具が外れなく、且つ使用しないときには簡単な操作で巻上げられ、さらに巻上げたときに建物側に最小限の構造物しか残さないという特長を有する日除けシート固定具およびそれを備えた日除け具を実現できる。
（実施の形態２）
図５は本考案の日除けシート固定具の他の構成方法を示している。図５に示す実施の形態では支柱１０８の側に挿入部１０８ｂが、勘合部１０９の側に被挿入部１０９ｂが備わっている場合をしている。さらに図１ではチェーン１０６をシート側取付部１０１側のリング形状に取付ける例を示したが、図５ではチェーン１０６を支柱１０８側のリング形状に取付ける方法や、シート側取付部１０１に取付ける方法や、支柱１０８の支柱リンク機構１１０に近い位置に取付ける方法も示している。さらに図５ではフック体１０７をチェーン１０６上ではなく第一の建物側取付部１０２の側に備える方法も示しており、この場合でもフック体１０７がチェーン１０６上の任意の位置に掛けられるので実施の形態１に示したようにシート体１１２とチェーン１０６をピンと張るように掛けることが可能である。
【００３１】
つまり図５に示したいずれの方法としても実施の形態１で示したようにシート体１１２とチェーン１０６をピンと張ることにより、図３に示したチェーンの張力１１８とシート体の面張力１１９と支柱が押返す力１２０は同様に得られ、よって強風が吹いても結束バンドとチェーンが切れるかもしくはシートが破れない限り、日除け具２００が窓枠１１４から外れることはないという本考案の効果が同様に得られる。
【００３２】
尚、図５においてチェーン１０６を第一の建物側取付部１０２に、フック体１０７をシート側取付部１０１に取付けても、チェーンが切れるかもしくはシートが破れない限り、日除け具２００が窓枠１１４から外れることはないという本考案の効果は同様に得られる。
（実施の形態３）
図６に示すように本考案の日除けシート固定具は、第一の建物側取付部１０２と第二の建物側取付部１０３とを一体に構成することもできる。このように一体に構成することにより、第一もしくは第二の建物側取付部のどちらか一方の側のネジ止めを終えれば他方の側は手で固定する必要がなくなるので、残りのネジ止め作業が容易になる。
（実施の形態４）
図７に示すように本考案の日除けシート固定具は、簾１２１に取付けて使用することもできる。図７に示すように簾１２１には簾下辺部１２２と横繊維との間に隙間があるので、この隙間に通せる細さの結束バンド１１３を用いてシート側取付部１０１を取付けることで、簾１２１に穴を開ける特別な加工をしないで使用することが可能となる。
【００３３】
以上にように本考案の日除けシート固定具およびそれを備えた日除け具によれば、日常に吹く可能性のある強風が吹いても日除け具が外れないことを第一の特長とし、使用しないときには簡単な操作で巻上げられることを第二の特長とし、巻上げたときに建物側に最小限の構造物しか残さないことを第三の特長とし、これら３つの特長を同時に有する日除け具が実現できる。
【符号の説明】
【００３４】
１００ａ、１００ｂ  日除けシート固定具
１０１  シート側取付部
１０１ａ  巻上げ時支柱保持部
１０２  第一の建物側取付部
１０３  第二の建物側取付部
１０４  最大距離制限部
１０５  最小距離制限部
１０６  チェーン
１０７  フック体
１０８  支柱
１０８ａ  支柱の被挿入部
１０８ｂ  支柱の挿入部
１０９  勘合部
１０９ａ  勘合部の挿入部
１０９ｂ  勘合部の被挿入部
１１０  支柱リンク機構
１１１  勘合部リンク機構
１１２  シート体
１１３  結束バンド
１１４  窓枠
１１５  日除け具上部固定具
１１６  建物外壁
１１７  ネジ
１１８  チェーンの張力
１１９  シート体の面張力
１２０  支柱が押返す力
１２１  簾
１２２  簾下辺部
２００  日除け具
３０１  サッシ窓枠
３０２  ガラス戸
３０３  網戸
３０４  シート材
３０５  支柱
３０６  ライン
３０７  ライン受け
３０８  支柱受け
３０９  支柱の外れ防止板
【図１】
0003169649.tif 000003
【図２】
0003169649.tif 000004
【図３】
0003169649.tif 000005
【図４】
0003169649.tif 000006
【図５】
0003169649.tif 000007
【図６】
0003169649.tif 000008
【図７】
0003169649.tif 000009
【図８】
0003169649.tif 000010
【図９】
0003169649.tif 000011